【手続補正書】
【提出日】平成18年8月24日(2006.8.24)
【手続補正１】
【補正対象書類名】明細書
【補正対象項目名】特許請求の範囲
【補正方法】変更
【補正の内容】
【特許請求の範囲】
【請求項１】  ＴＶ信号を受信する受信手段と、
前記受信手段で所定のチャンネルを受信するために、当該チャンネルを指定する指定手段と、
前記指定手段によるチャンネル指定操作が実行されてから、所定期間、当該チャンネルとは異なるチャンネルを指定する操作が実行されるか否かを判定する判定手段と、
所定期間、該チャンネルとは異なるチャンネルを指定する操作が実行されないと前記判定手段が判定した場合、該チャンネルにおけるＴＶ信号を受信するよう、前記受信手段を制御する制御手段と、を有することを特徴とする信号処理装置。
【請求項２】  前記指定手段による第一のチャンネルの指定後、前記所定期間内に前記第一のチャンネルとは異なる第二のチャンネルが指定された場合、前記制御手段は前記第二のチャンネルにおけるＴＶ信号を受信することなく、前記第一のチャンネルに係るＴＶ信号の受信を継続する制御を行うことを特徴とする請求項１に記載の信号処理装置。
【請求項３】  前記制御手段は、前記指定手段による第一のチャンネルの指定後、前記所定期間経過後に前記第一のチャンネルとは異なる第二のチャンネルが指定された場合は前記第二のチャンネルに係るＴＶ信号を受信するよう、前記受信手段を制御することを特徴とする請求項１に記載の信号処理装置。
【請求項４】  前記所定期間の値をマニュアルで設定可能な設定手段を有し、前記判定手段は前記設定手段で設定された前記所定期間の値を用いて判定を行うことを特徴とする請求項１に記載の信号処理装置。
【請求項５】  受信したＴＶ信号における番組の番組情報データを取得する取得手段と、
前記受信手段により受信したチャンネルに係る映像及び前記番組情報データに基づいて生成される番組情報を表示部に出力する出力手段と、を有し、
前記制御手段は、前記指定手段による前記第一のチャンネルの指定後、前記所定期間内に前記第一のチャンネルとは異なる前記第二のチャンネルが指定された場合、前記第二のチャンネルにおいて現在放送されている番組に対応する前記番組情報を前記表示部に出力するとともに、前記第一のチャンネルに係るＴＶ信号の映像を前記表示部に出力するよう、前記出力手段を制御することを特徴とする請求項２に記載の信号処理装置。
【請求項６】  前記制御手段は、前記判定手段の判定結果に基づいて前記受信手段を制御する第一のモードと、前記指定手段によるチャンネル指定操作が実行された場合に前記判定手段の判定を実行せずに、当該指定チャンネルにおけるＴＶ信号を受信するよう、前記受信手段を制御する第二のモードとを有することを特徴とする請求項１に記載の信号処理装置。
【請求項７】  ＴＶ信号を受信する受信手段と、
前記受信手段で所定のチャンネルを受信するために、当該チャンネルを順次切り換えることが可能なボタン操作の操作入力を受け付ける入力手段と、
前記入力手段で受け付けた操作入力が所定期間、当該ボタンを継続して押下する操作か否かを判定する判定手段と、
所定期間、当該ボタンを継続して押下されていると判定された場合、前記受信手段で受信しているチャンネルの変更は行わず、当該チャンネルとは異なるチャンネルに対応する番組情報データを表示部に表示する制御を実行する制御手段と、を有することを特徴とする信号処理装置。
【請求項８】  ＴＶ信号を受信する受信工程と、
前記受信工程で所定のチャンネルを受信するために、当該チャンネルを指定する指定工程と、
前記指定工程によるチャンネル指定操作が実行されてから、所定期間、当該チャンネルとは異なるチャンネルを指定する操作が実行されるか否かを判定する判定工程と、
所定期間、該チャンネルとは異なるチャンネルを指定する操作が実行されないと前記判定工程で判定された場合、該チャンネルにおけるＴＶ信号を受信するよう、前記受信工程を制御する制御工程と、を有することを特徴とする信号処理方法。
【請求項９】  前記指定工程による第一のチャンネルの指定後、前記所定期間内に前記第一のチャンネルとは異なる第二のチャンネルが指定された場合、前記制御工程では前記第二のチャンネルにおけるＴＶ信号を受信することなく、前記第一のチャンネルに係るＴＶ信号の受信を継続する制御を行うことを特徴とする請求項８に記載の信号処理方法。
【請求項１０】  前記制御工程では、前記指定工程による第一のチャンネルの指定後、前記所定期間経過後に前記第一のチャンネルとは異なる第二のチャンネルが指定された場合は前記第二のチャンネルに係るＴＶ信号を受信するよう、前記受信工程を制御することを特徴とする請求項８に記載の信号処理方法。
【請求項１１】  前記所定期間の値をマニュアルで設定可能な設定工程を有し、前記判定工程では前記設定工程で設定された前記所定期間の値を用いて判定を行うことを特徴とする請求項８に記載の信号処理方法。
【請求項１２】  受信したＴＶ信号における番組の番組情報データを取得する取得工程と、
前記受信工程で受信したチャンネルに係る映像及び前記番組情報データに基づいて生成される番組情報を表示部に出力する出力工程と、を有し、
前記制御工程では、前記指定工程による前記第一のチャンネルの指定後、前記所定期間内に前記第一のチャンネルとは異なる前記第二のチャンネルが指定された場合、前記第二のチャンネルにおいて現在放送されている番組に対応する前記番組情報を前記表示部に出力するとともに、前記第一のチャンネルに係るＴＶ信号の映像を前記表示部に出力するよう、前記出力工程を制御することを特徴とする請求項９に記載の信号処理装置。
【請求項１３】  前記制御工程では、前記判定工程の判定結果に基づいて前記受信工程を制御する第一のモードと、前記指定工程によるチャンネル指定操作が実行された場合に前記判定工程での判定を実行せずに、当該指定チャンネルにおけるＴＶ信号を受信するよう、前記受信工程を制御する第二のモードとを有することを特徴とする請求項８に記載の信号処理方法。
【請求項１４】  ＴＶ信号を受信する受信工程と、
前記受信工程で所定のチャンネルを受信するために、当該チャンネルを順次切り換えることが可能なボタン操作の操作入力を受け付ける入力工程と、
前記入力工程で受け付けた操作入力が所定期間、当該ボタンを継続して押下する操作か否かを判定する判定工程と、
所定期間、当該ボタンを継続して押下されていると判定された場合、前記受信工程で受信しているチャンネルの変更は行わず、当該チャンネルとは異なるチャンネルに対応する番組情報データを表示部に表示する制御を実行する制御工程と、を有することを特徴とする信号処理方法。
【手続補正２】
【補正対象書類名】明細書
【補正対象項目名】０００１
【補正方法】変更
【補正の内容】
【０００１】
【発明の属する技術分野】
本発明は信号処理装置に関し、特には、チャンネルの選択処理に関するものである。
【手続補正３】
【補正対象書類名】明細書
【補正対象項目名】０００９
【補正方法】変更
【補正の内容】
【０００９】
【課題を解決するための手段】
このような目的下において、本発明の信号処理装置においては、ＴＶ信号を受信する受信手段と、前記受信手段で所定のチャンネルを受信するために、当該チャンネルを指定する指定手段と、前記指定手段によるチャンネル指定操作が実行されてから、所定期間、当該チャンネルとは異なるチャンネルを指定する操作が実行されるか否かを判定する判定手段と、所定期間、該チャンネルとは異なるチャンネルを指定する操作が実行されないと前記判定手段が判定した場合、該チャンネルにおけるＴＶ信号を受信するよう、前記受信手段を制御する制御手段とを有する。
また、本発明の信号処理装置においては、ＴＶ信号を受信する受信手段と、前記受信手段で所定のチャンネルを受信するために、当該チャンネルを順次切り換えることが可能なボタン操作の操作入力を受け付ける入力手段と、前記入力手段で受け付けた操作入力が所定期間、当該ボタンを継続して押下する操作か否かを判定する判定手段と、所定期間、当該ボタンを継続して押下されていると判定された場合、前記受信手段で受信しているチャンネルの変更は行わず、当該チャンネルとは異なるチャンネルに対応する番組情報データを表示部に表示する制御を実行する制御手段と、を有する。
【手続補正４】
【補正対象書類名】明細書
【補正対象項目名】００１０
【補正方法】変更
【補正の内容】
【００１０】
また、本発明の信号処理方法においては、ＴＶ信号を受信する受信工程と、前記受信工程で所定のチャンネルを受信するために、当該チャンネルを指定する指定工程と、前記指定工程によるチャンネル指定操作が実行されてから、所定期間、当該チャンネルとは異なるチャンネルを指定する操作が実行されるか否かを判定する判定工程と、所定期間、該チャンネルとは異なるチャンネルを指定する操作が実行されないと前記判定工程で判定された場合、該チャンネルにおけるＴＶ信号を受信するよう、前記受信工程を制御する制御工程と、を有する。
また、本発明の信号処理方法においては、ＴＶ信号を受信する受信工程と、前記受信工程で所定のチャンネルを受信するために、当該チャンネルを順次切り換えることが可能なボタン操作の操作入力を受け付ける入力工程と、前記入力工程で受け付けた操作入力が所定期間、当該ボタンを継続して押下する操作か否かを判定する判定工程と、所定期間、当該ボタンを継続して押下されていると判定された場合、前記受信工程で受信しているチャンネルの変更は行わず、当該チャンネルとは異なるチャンネルに対応する番組情報データを表示部に表示する制御を実行する制御工程と、を有する。
【手続補正５】
【補正対象書類名】明細書
【補正対象項目名】００１１
【補正方法】削除
【補正の内容】